(57)【要約】【課題】  色相が良好で、熱堅牢性及び光堅牢性が高い染料として有用な、新規アゾ化合物を提供する。【解決手段】  下記一般式（Ｉ）で表されるピリミジンアゾ化合物およびこの互変異性体。式（Ｉ）中、Ｒ1はヘテロ環基を表し、Ｒ2はそれぞれ独立に水素原子又は置換基を表す。Ｒ3、Ｒ4、Ｒ5、Ｒ6、Ｒ7、及びＲ8はそれぞれ独立に水素原子、アルキル基、アルケニル基などを表す。Ｒ3とＲ4、Ｒ5とＲ6、Ｒ7とＲ8とが互いに結合して５員、６員、又は７員の環を形成してもよい。【化１】2007039478.tif 000027【選択図】  なし【特許請求の範囲】
【請求項１】
下記一般式（Ｉ）で表されるピリミジンアゾ化合物およびこの互変異性体。
【化１】
2007039478.tif 000026
一般式（Ｉ）中、Ｒ1はヘテロ環基を表し、Ｒ2は、水素原子又は置換基を表す。Ｒ3、Ｒ4、Ｒ5、Ｒ6、Ｒ7、及びＲ8は、各々独立に、水素原子、アルキル基、アルケニル基、アルキニル基、アリール基、ヘテロ環基、アシル基、アルコキシカルボニル基、アリールオキシカルボニル基、カルバモイル基、アルキルスルホニル基、アリールスルホニル基、又はスルファモイル基を表す。Ｒ3とＲ4、Ｒ5とＲ6、Ｒ7とＲ8とが互いに結合して５員、６員、又は７員の環を形成してもよい。
【発明の詳細な説明】
【技術分野】
【０００１】
本発明は、アゾ色素として有用な新規なアゾ化合物に関する。
【背景技術】
【０００２】
従来から、アゾ色素は種々の可視光吸収を有することが多いために、色素として種々の分野で利用されてきた。例えば合成樹脂の着色、印刷インク、昇華型感熱転写材料用色素、インクジェット用インク、カラーフィルタ用色素等、種々の分野で用いられるようになってきている。色素としてアゾ色素に要求される大きな性能に吸収スペクトルがある。色素の色相は、色素によって着色した物体の色目、風合い等に大きな影響を与え、視覚に与える効果が大きい。従って、古くから色素の吸収スペクトルに関する研究がなされている。総説としては非特許文献１に示されており、成書としては非特許文献２、３等が有り、アゾ色素あるいはアゾ顔料の章に詳細に説明されている。
【０００３】
近年、画像記録材料として、カラー画像が主流となり、色素の使用用途も多様化してきた。具体的には、インクジェット方式の記録材料、感熱転写方式の記録材料、電子写真方式の記録材料、転写式ハロゲン化銀感光材料、印刷インク等に盛んに利用されている。また、撮影機器ではＣＣＤなどの撮像素子において、ディスプレイではＬＣＤやＰＤＰにおいて、カラー画像を記録、再現するためにカラーフィルタが使用されている。更には色素や毛髪の染色にも使用されている。これらのカラー画像記録材料やカラーフィルタでは、フルカラー画像を再現あるいは記録するために、いわゆる加法混色法や減法混色法の３原色の着色剤（染料や顔料）が使用されている。しかし、好ましい色再現域を実現できる吸収特性を有し、且つさまざまな使用条件、環境条件に耐えうる、色相が良く堅牢な着色剤が無いのが現状であり、改善が強く望まれている。
これらの各用途で使用する着色剤には、共通して、色再現上好ましい吸収特性を有すること、使用される環境条件化での堅牢性、モル吸光係数が大きいこと等が要求される。
従来から含窒素５員環をアゾ成分とするアゾ染料は、特許文献１〜６に開示されているが、いずれも色相、堅牢性、分子吸光係数を満足させるものではなかった。また、非特許文献４には５員環複素環アゾ染料の合成方法が記載されているが色相、分光吸光係数等を満足するものではなかった。
【特許文献１】特開昭５５−１６１８５６号公報
【特許文献２】特開平６−１４５５４３号公報
【特許文献３】特開平７−２２４２３０号公報
【特許文献４】特開平９−２３４９６４号公報
【特許文献５】特開平９−２７７７０３号公報
【特許文献６】特開２００３−２４６９４２号公報
【非特許文献１】Ｊ．Ｆａｂｉａｎ  ａｎｄ  Ｈ．Ｈａｒｔｍａｎｎ  Ｌｉｇｈｔ  Ａｂｓｏｒｐｔｉｏｎ  ｏｆ  Ｏｒｇａｎｉｃ  Ｃｏｌｏｒａｎｔｓ，  Ｓｐｒｉｎｇｅｒ−Ｖｅｒｌａｇ，  Ｂｅｒｌｉｎｅ，  （１９８０年）Ｊ．Ｆａｂｉａｎ著
【非特許文献２】Ｃｏｌｏｒ  Ｃｈｅｍｉｓｔｒｙ  Ｈｅｉｎｒｉｃｈ  Ｚｏｌｌｉｎｇｅｒ著Ｗｅｉｎｈｅｉｍ・Ｎｅｗ  Ｙｏｒｋ・Ｂａｓｅｌ・Ｃａｍｂｒｉｄｇｅ、
【非特許文献３】合成染料  野口博著、三共出版株式会社、（１９７０年）
【非特許文献４】Ｊｏｕｒｎａｌ  ｏｆ  Ｈｅｔｅｒｏｃｙｃｌｉｃ  Ｃｈｅｍｉｓｔｒｙ（１９８５年）２２巻８１３〜８１６頁
【発明の開示】
【発明が解決しようとする課題】
【０００４】
本発明の目的は、良好な色相及び堅牢性を有し、高い分光吸光係数を有する新規な構造のアゾ色素を提供することにある。
【課題を解決するための手段】
【０００５】
本発明者らは、鋭意研究を重ねた結果、特定の含窒素複素環アゾ色素が、良好な色相を有し、かつ光および熱に対して良好な堅牢性を発揮するとの知見を得た。前記課題を解決するための具体的手段を以下に示す。
＜１＞下記一般式（Ｉ）で表されるピリミジンアゾ化合物およびこの互変異性体。
【０００６】
【化１】
2007039478.tif 000002
【０００７】
一般式（Ｉ）中、Ｒ1はヘテロ環基を表し、Ｒ2は、水素原子又は置換基を表す。Ｒ3、Ｒ4、Ｒ5、Ｒ6、Ｒ7、及びＲ8は、各々独立に、水素原子、アルキル基、アルケニル基、アルキニル基、アリール基、ヘテロ環基、アシル基、アルコキシカルボニル基、アリールオキシカルボニル基、カルバモイル基、アルキルスルホニル基、アリールスルホニル基、又はスルファモイル基を表す。Ｒ3とＲ4、Ｒ5とＲ6、Ｒ7とＲ8とが互いに結合して５員、６員、又は７員の環を形成してもよい。
【発明の効果】
【０００８】
本発明のピリミジンアゾ化合物は色相に優れ、光、熱、湿度および環境中の活性ガスに対して充分な堅牢性を有する染料として有用な新規化合物であって、高い分光吸収係数を有する。
【発明を実施するための最良の形態】
【０００９】
以下に本発明を詳細に説明する。
本明細書における「ヘテロ環基」とは、そのヘテロ環部位は環内にヘテロ原子（例えば、窒素原子、イオウ原子、酸素原子）を持つものであり、飽和環であっても、不飽和環であってもよく、単環であっても縮合環であってもよく、無置換であっても置換基を有していてもよい。例えば、テトラヒドロフラニル基、ジヒドロフラニル基、ジヒドロフラニル基、テトラヒドロピラニル基、ジヒドロピラニル基、オキソカニル基、ジオキサニル基、テトラヒドロチオフェニル基、ヂチアニル基、ピロリジニル基、ピロリニル基、テトラヒドロピリジニル基、ピペラジニル基、ホモピペラジニル基、ピペリジニル基、ピロリル基、フリル基、チオフェニル基、ベンゾピロリル基、ベンゾフリル基、ベンゾチオフェニル基、ピラゾリル基、イソキサゾリル基、イソチアゾリル基、インダゾリル基、ベンゾイソキサゾリル基、ベンゾイソチアゾリル基、イミダゾリル基、オキサゾリル基、チアゾリル基、ベンゾイミダゾリル基、ベンゾオキサゾリル基、ベンゾチアゾリル基、ピリジル基、キノリニル基、イソキノリニル基、ピリダジニル基、ピリミジニル基、ピラジニル基、シンノリニル基、フタラジニル基、キナゾリニル基、キノキサリニル基、アクリジニル基、フェナンスリジニル基、フタラジニル基、カルバゾリル基、ウラシル基、ジチオウラシル基、カルボリニル基、プリニル基、チアジアゾリル基等をあげることができ、これらは無置換であっても置換基を有していてもよい。
【００１０】
また、本明細書における「置換基」とは、置換可能な基であればよく、例えばアルキル基、アルケニル基、アルキニル基、アリール基、ヘテロ環基、アシル基、アシルオキシ基、アシルアミノ基、アルキルオキシ基、アルケニルオキシ基、アルキニルオキシ基、アリールオキシ基、ヘテロ環オキシ基、アルキルオキシカルボニル基、アルケニルオキシカルボニル基、アルキニルオキシカルボニル基、アリールオキシカルボニル基、ヘテロ環オキシカルボニル基、カルバモイル基、アルキルスルホニル基、アルケニルスルホニル基、アルキニルスルホニル基、アリールスルホニル基、ヘテロ環スルホニル基、アルキルスルホニルオキシ基、アルケニルスルホニルオキシ基、アルキニルスルホニルオキシ基、アリールスルホニルオキシ基、ヘテロ環スルホニルオキシ基、スルファモイル基、アルキルスルホンアミド基、アルケニルスルホンアミド基、アルキニルスルホンアミド基、アリールスルホンアミド基、ヘテロ環スルホンアミド基、アミノ基、アルキルアミノ基、アルケニルアミノ基、アルキニルアミノ基、アリールアミノ基、ヘテロ環アミノ基、アルキルオキシカルボニルアミノ基、アルケニルオキシカルボニルアミノ基、アルキニルオキシカルボニルアミノ基、アリールオキシカルボニルアミノ基、ヘテロ環オキシカルボニルアミノ基、アルキルスルフィニル基、アルケニルスルフィニル基、アルキニルスルフィニル基、アリールスルフィニル基、アルキルチオ基、アルケニルチオ基、アルキニルチオ基、アリールチオ基、ヒドロキシ基、シアノ基、スルホ基、カルボキシル基、アルキルオキシアミノ基、アルケニルオキシアミノ基、アルキニルオキシアミノ基、アリールオキシアミノ基、カルバモイルアミノ基、スルファモイルアミノ基、ハロゲン原子、スルファモイルカルバモイル基、カルバモイルスルファモイル基、ジアルキルオキシフォスフィニル基、ジアルケニルオキシフォスフィニル基、ジアルキニルオキシフォスフィニル基、ジアリールオキシフォスフィニル基等をあげることができる。
更に、本明細書中における「アリール基」とは、単環であっても縮合環であってもよく、無置換であっても置換基（上記で説明した置換基）を有していてもよい。（２個以上の置換基を有する場合には、それらの置換基は同一であっても異なっていてもよい）
【００１１】
以下に本発明の一般式（Ｉ）で表される化合物を詳細に説明する。
【００１２】
【化２】
2007039478.tif 000003
【００１３】
式中、Ｒ1はヘテロ環基を表す。好ましくは炭素数１〜３６のヘテロ環基で、更に好ましくは炭素数２〜２４のへテロ環基で、例えば、ピロリル基、フリル基、チオフェニル基、ベンゾピロリル基、ベンゾフリル基、ベンゾチオフェニル基、ピラゾリル基、イソキサゾリル基、イソチアゾリル基、インダゾリル基、ベンゾイソキサゾリル基、ベンゾイソチアゾリル基、イミダゾリル基、オキサゾリル基、チアゾリル基、ベンゾイミダゾリル基、ベンゾオキサゾリル基、ベンゾチアゾリル基、ピリジル基、キノリニル基、イソキノリニル基、ピリダジニル基、ピリミジニル基、ピラジニル基、シンノリニル基、フタラジニル基、キナゾリニル基、キノキサリニル基、アクリジニル基、フェナンスリジニル基、フタラジニル基、カルバゾリル基、カルボリニル基、プリニル基、トリアゾリル基、オキサジアゾリル基、チアジアゾリル基が好ましく、中でも、３−ピラゾリル基、４−ピラゾリル基、２−イミダゾリル基、４−イミダゾリル基、５−イミダゾリル基、２−オキサゾリル基、２−チアゾリル基、２−ベンゾイミダゾリル基、２−ベンゾオキサゾリル基、２−ベンゾチアゾリル基、２−ピリジル基、３−ピリジル基、４−ピリジル基、２−キノリニル基、４−キノリニル基、１−イソキノリニル基、３−イソキノリニル基、３−ピリダジニル基、４−ピリダジニル基、２−ピリミジニル基、４−ピリミジニル基、５−ピリミジニル基、２−ピラジニル基、２−プリニル基、６−プリニル基、８−プリニル基、３−トリアゾリル基、５−トリアゾリル基、３−オキサジアゾリル基、５−オキサジアゾリル基、３−チアジアゾリル基、５−チアジアゾリル基が更に好ましい。
【００１４】
Ｒ1のヘテロ環基が置換可能な基である場合には、前述の置換基の項で説明した置換基で置換されていてもよく、２個以上の置換基で置換されている場合には、それらの置換基は同一であっても異なっていてもよい。本発明の効果をより効果的に奏する点から、以下の基が好適である。すなわち、ハロゲン原子（例えば、フッ素、塩素、臭素）、アルキル基（好ましくは炭素数１〜４８の、直鎖、分岐鎖、又は環状のアルキル基で、例えば、メチル、エチル、プロピル、イソプロピル、ブチル、ｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８のアルケニル基で、例えば、ビニル、アリール、３−ブテン−１−イル）、アリール基（好ましくは炭素数６〜４８のアリール基で、例えば、フェニル、ナフチル）、ヘテロ環基（好ましくは炭素数１〜３２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８のシリル基で、例えば、トリメチルシリル、トリエチルシリル、トリブチルシリル、ｔ−ブチルジメチルシリル、ｔ−ヘキシルジメチルシリル）、ヒドロキシル基、シアノ基、ニトロ基、アルコキシ基（好ましくは炭素数１〜４８のアルコキシ基で、例えば、メトキシ、エトキシ、１−ブトキシ、２−ブトキシ、イソプロポキシ、ｔ−ブトキシ、ドデシルオキシ、シクロアルキルオキシ基で、例えば、シクロペンチルオキシ、シクロヘキシルオキシ）、アリールオキシ基（好ましくは炭素数６〜４８のアリールオキシ基で、例えば、フェノキシ、１−ナフトキシ）、ヘテロ環オキシ基（好ましくは炭素数１〜３２のヘテロ環オキシ基で、例えば、１−フェニルテトラゾール−５−オキシ、２−テトラヒドロピラニルオキシ）、シリルオキシ基（好ましくは炭素数１〜３２のシリルオキシ基で、例えば、トリメチルシリルオキシ、ｔ−ブチルジメチルシリルオキシ、ジフェニルメチルシリルオキシ）、
【００１５】
アシルオキシ基（好ましくは炭素数２〜４８のアシルオキシ基で、例えば、アセトキシ、ピバロイルオキシ、ベンゾイルオキシ、ドデカノイルオキシ）、アルコキシカルボニルオキシ基（好ましくは炭素数２〜４８のアルコキシカルボニルオキシ基で、例えば、エトキシカルボニルオキシ、ｔ−ブトキシカルボニルオキシ、シクロアルキルオキシカルボニルオキシ基で、例えば、シクロヘキシルオキシカルボニルオキシ）、アリールオキシカルボニルオキシ基（好ましくは炭素数７〜３２オアリールオキシカルボニルオキシ基で、例えば、フェノキシカルボニルオキシ）、カルバモイルオキシ基（好ましくは炭素数１から４８のカルバモイルオキシ基で、例えば、Ｎ，Ｎ−ジメチルカルバモイルオキシ、Ｎ−ブチルカルバモイルオキシ、Ｎ−フェニルカルバモイルオキシ、Ｎ−エチル−Ｎ−フェニルカルバモイルオキシ）、スルファモイルオキシ基（好ましくは炭素数１〜３２のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８のアルキルスルホニルオキシ基で、例えば、メチルスルホニルオキシ、ヘキサデシルスルホニルオキシ、シクロヘキシルスルホニルオキシ）、アリールスルホニルオキシ基（好ましくは炭素数６〜３２のアリールスルホニルオキシ基で、例えば、フェニルスルホニルオキシ）、
【００１６】
アシル基（好ましくは炭素数１から４８のアシル基で、例えば、ホルミル、アセチル、ピバロイル、ベンゾイル、テトラデカノイル、シクロヘキサノイル）、アルコキシカルボニル基（好ましくは炭素数２〜４８のアルコキシカルボニル基で、例えば、メトキシカルボニル、エトキシカルボニル、オクタデシルオキシカルボニル、シクロヘキシルオキシカルボニル）、アリールオキシカルボニル基（好ましくは炭素数７〜３２のアリールオキシカルボニル基で、例えば、フェノキシカルボニル）、カルバモイル基（好ましくは炭素数１〜４８のカルバモイル基で、例えば、カルバモイル、Ｎ，Ｎ−ジエチルカルバモイル、ンーエチル−Ｎ−オクチルカルバモイル、Ｎ，Ｎ−ジブチルカルバモイル、Ｎ−プロピルカルバモイル、Ｎ−フェニルカルバモイル、Ｎ−メチルＮ−フェニルカルバモイル、Ｎ，Ｎ−ジシクロへキシルカルバモイル）、アミノ基（好ましくは炭素数３２以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２のアニリノ基で、例えば、アニリノ、Ｎ−メチルアニリノ）、ヘテロ環アミノ基（好ましくは炭素数１〜３２のヘテロ環アミノ基で、例えば、４−ピリジルアミノ）、カルボンアミド基（好ましくは、炭素数１〜３２のカルボンアミド基で、例えば、アセトアミド、ベンズアミド、ピバロイルアミド、シクロヘキサンアミド、アダマンチルアミノ、２−エチルヘキサンアミド、但し、パーフロロアルキルカルボニルアミノ基は除く）、ウレイド基（好ましくは炭素数１〜３２のウレイド基で、例えば、ウレイド、Ｎ，Ｎ−ジメチルウレイド、Ｎ−フェニルウレイド）、イミド基（好ましくは炭素数１０以下のイミド基で、例えば、Ｎ−スクシンイミド，Ｎ−フタルイミド）、アルコキシカルボニルアミノ基（好ましくは炭素数２〜４８のアルコキシカルボニルアミノ基で、例えば、メトキシカルボニルアミノ、エトキシカルボニルアミノ、ｔ−ブトキシカルボニルアミノ、オクタデシルオキシカルボニルアミノ、シクロヘキシルオキシカルボニルアミノ）、アリールオキシカルボニルアミノ基（好ましくは炭素数７〜３２のアリールオキシカルボニルアミノ基で、例えば、フェノキシカルボニルアミノ）、アゾ基（好ましくは炭素数１〜３２のアゾ基で、例えば、フェニルアゾ、３−ピラゾリルアゾ）、アルキルチオ基（好ましくは炭素数１〜４８のアルキルチオ基で、例えば、メチルチオ、エチルチオ、オクチルチオ、シクロヘキシルチオ）、アリールチオ基（好ましくは炭素数６〜４８のアリールチオ基で、例えば、フェニルチオ）、ヘテロ環チオ基（好ましくは炭素数１〜３２のヘテロ環チオ基で、例えば、２−ベンゾチアゾリルチオ、２−ピリジルチオ、１−フェニルテトラゾリルチオ）、アルキルスルフィニル基（好ましくは炭素数１〜３２のアルキルスルフィニル基で、例えば、ドデカンスルフィニル）、アリールスルフィニル基（好ましくは炭素数６〜３２のアリールスルフィニル基で、例えば、フェニルスルフィニル）、アルキルスルホニル基（好ましくは炭素数１〜４８のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、
【００１７】
アリールスルホニル基（好ましくは炭素数６〜４８のアリールスルホニル基で、例えば、フェニルスルホニル、１−ナフチルスルホニル）、スルファモイル基（好ましくは炭素数３２以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２のホスホニル基で、例えば、フェノキシホスホニル、オクチルオキシホスホニル、フェニルホスホニル）、ホスフィノイルアミノ基（好ましくは炭素数１〜３２のホスフィノイルアミノ基で、例えば、ジエトキシホスフィノイルアミノ、ジオクチルオキシホスフィノイルアミノ）である。
これらの置換基が、更に置換可能な基である場合には、前記置換基で置換されていてもよく。２個以上の置換基で置換されている場合には、それらの置換基は、同一であっても異なっていてもよい
【００１８】
一般式（Ｉ）におけるＲ2は、水素原子または置換基を表す。Ｒ2の置換基は既述の置換基の項で説明した基と同義である。
Ｒ2の置換基が、更に置換可能な基である場合には、既述の置換基の項で説明した基で置換されていてもよく、２個以上の置換基で置換されている場合には、それらの置換基は同一であっても異なっていてもよい。
【００１９】
本発明の効果をより効果的に奏する点から、Ｒ2は以下の基が好適である。
すなわち、Ｒ2は、水素原子、アルキル基、アルケニル基、アルキニル基、アリール基、アシルオキシ基、アシルアミノ基、アルキルオキシ基、アルケニルオキシ基、アルキニルオキシ基、アルキルスルホニルオキシ基、アルケニルスルホニルオキシ基、アルキニルスルホニルオキシ基、アリールスルホニルオキシ基、アルキルスルホンアミド基、アルケニルスルホンアミド基、アルキニルスルホンアミド基、アリールスルホンアミド基、アミノ基、アルキルアミノ基、アルケニルアミノ基、アルキニルアミノ基、アリールアミノ基、アルキルオキシカルボニルアミノ基、アルケニルオキシカルボニルアミノ基、アルキニルオキシカルボニルアミノ基、アリールオキシカルボニルアミノ基、ヘテロ環オキシカルボニルアミノ基、ヒドロキシ基、シアノ基、スルホ基、カルバモイルアミノ基、スルファモイルアミノ基である場合が好ましく、水素原子、アルキル基、アルケニル基、アルキニル基、シアノ基、アリール基、アシルオキシ基、アルキルオキシ基、アルケニルオキシ基、アルキニルオキシ基、アルキルスルホニルオキシ基、アルケニルスルホニルオキシ基、アルキニルスルホニルオキシ基である場合が更に好ましく、水素原子、アルキル基、アルケニル基、アルキニル基、シアノ基である場合は最も好ましい。
【００２０】
前記Ｒ3、Ｒ4、Ｒ5、Ｒ6、Ｒ7及びＲ8は、各々独立に、水素原子、アルキル基、アルケニル基、アリール基、ヘテロ環基、アシル基、アルコキシカルボニル基、アリールオキシカルボニル基、カルバモイル基、アルキルスルホニル基、アリールスルホニル基、又はスルファモイル基を表す。
Ｒ3、Ｒ4、Ｒ5、Ｒ6、Ｒ7及びＲ8が置換可能な基である場合には、前記「置換基」での項で述べた置換基を有していてもよく、２個以上の置換基を有している場合にはそれらの置換基は同一であっても異なっていてもよい。また、Ｒ3とＲ4、Ｒ5とＲ6、Ｒ7とＲ8とが互いに結合して５員、６員、又は７員の環を形成してもよい。本発明の効果をより効果的に奏する点から、Ｒ3、Ｒ4、Ｒ5、Ｒ6、Ｒ7及びＲ8は、水素原子、アルキル基、アルケニル基、アリール基、ヘテロ環基、アシル基、カルバモイル基、アルキルスルホニル基、アリールスルホニル基、又はスルファモイル基を表す場合が好ましく、水素原子、アルキル基、アルケニル基、アリール基、ヘテロ環基、アルキルスルホニル基、アリールスルホニル基を表す場合が更に好ましく、水素原子、アルキル基、アリール基、ヘテロ環基、アルキルスルホニル基である場合は最も好ましい。
【００２１】
本発明の効果をより効果的に奏する点から、Ｒ3、Ｒ4、Ｒ5、Ｒ6、Ｒ7及びＲ8は、水素原子、アルキル基、アルケニル基、アリール基、ヘテロ環基、アシル基、カルバモイル基、アルキルスルホニル基、アリールスルホニル基、又はスルファモイル基を表す場合が好ましく、水素原子、アルキル基、アルケニル基、アリール基、ヘテロ環基、アルキルスルホニル基、アリールスルホニル基を表す場合が更に好ましく、水素原子、アルキル基、アリール基、ヘテロ環基、アルキルスルホニル基である場合は最も好ましい。
【００２２】
より好ましくは、一般式（Ｉ）において、Ｒ1は３−ピラゾリル基、４−ピラゾリル基、２−イミダゾリル基、４−イミダゾリル基、５−イミダゾリル基、２−オキサゾリル基、２−チアゾリル基、２−ベンゾイミダゾリル基、２−ベンゾオキサゾリル基、２−ベンゾチアゾリル基、２−ピリジル基、３−ピリジル基、４−ピリジル基、２−キノリニル基、４−キノリニル基、１−イソキノリニル基、３−イソキノリニル基、３−ピリダジニル基、４−ピリダジニル基、２−ピリミジニル基、４−ピリミジニル基、５−ピリミジニル基、２−ピラジニル基、２−プリニル基、６−プリニル基、８−プリニル基、３−トリアゾリル基、５−トリアゾリル基、３−オキサジアゾリル基、５−オキサジアゾリル基、３−チアジアゾリル基、５−チアジアゾリル基、Ｒ2は水素原子、アルキル基、アルケニル基、アルキニル基、シアノ基、アリール基、アシルオキシ基、アルキルオキシ基、アルケニルオキシ基、アルキニルオキシ基、アルキルスルホニルオキシ基、アルケニルスルホニルオキシ基、アルキニルスルホニルオキシ基、Ｒ3、Ｒ4、Ｒ5、Ｒ6、Ｒ7及びＲ8は水素原子、アルキル基、アルケニル基、アリール基、ヘテロ環基、アシル基、アルコキシカルボニル基、アリールオキシカルボニル基、カルバモイル基、アルキルスルホニル基、アリールスルホニル基、又はスルファモイル基で表される色素が挙げられる。
【００２３】
更に好ましくは、一般式（Ｉ）において、Ｒ1は３−ピラゾリル基、４−ピラゾリル基、２−イミダゾリル基、４−イミダゾリル基、５−イミダゾリル基、２−オキサゾリル基、２−チアゾリル基、２−ベンゾイミダゾリル基、２−ベンゾオキサゾリル基、２−ベンゾチアゾリル基、２−ピリジル基、３−ピリジル基、４−ピリジル基、２−キノリニル基、４−キノリニル基、１−イソキノリニル基、３−イソキノリニル基、３−ピリダジニル基、４−ピリダジニル基、２−ピリミジニル基、４−ピリミジニル基、５−ピリミジニル基、２−ピラジニル基、２−プリニル基、６−プリニル基、８−プリニル基、３−トリアゾリル基、５−トリアゾリル基、３−オキサジアゾリル基、５−オキサジアゾリル基、３−チアジアゾリル基、５−チアジアゾリル基、Ｒ2は水素原子、アルキル基、アルケニル基、シアノ基、アシルオキシ基、アルキルオキシ基、アルキルスルホニルオキシ基、Ｒ3、Ｒ4、Ｒ5、Ｒ6、Ｒ7及びＲ8は水素原子、アルキル基、アルケニル基、アリール基、ヘテロ環基、アシル基、アルコキシカルボニル基、アリールオキシカルボニル基、カルバモイル基、アルキルスルホニル基、アリールスルホニル基、又はスルファモイル基で表される色素が挙げられる。
【００２４】
最も好ましくは、一般式（Ｉ）において、Ｒ1は３−ピラゾリル基、４−ピラゾリル基、２−イミダゾリル基、４−イミダゾリル基、５−イミダゾリル基、２−オキサゾリル基、２−チアゾリル基、２−ベンゾイミダゾリル基、２−ベンゾオキサゾリル基、２−ベンゾチアゾリル基、３−ピリダジニル基、４−ピリダジニル基、２−ピリミジニル基、４−ピリミジニル基、５−ピリミジニル基、２−ピラジニル基、３−トリアゾリル基、５−トリアゾリル基、３−オキサジアゾリル基、５−オキサジアゾリル基、３−チアジアゾリル基、５−チアジアゾリル基、Ｒ2は水素原子、アルキル基、シアノ基、Ｒ3、Ｒ4、Ｒ5、Ｒ6、Ｒ7及びＲ8は水素原子、アルキル基、アルケニル基、アリール基、ヘテロ環基、アシル基、アルキルスルホニル基、アリールスルホニル基、又はスルファモイル基で表される色素が挙げられる。
【００２５】
本発明の色素はＲ1〜Ｒ8を介して、金属イオン、又は含窒素化合物からなるカチオン等と塩を形成していてもよい。金属イオンが２価以上の金属イオンである場合には、前記一般式（Ｉ）で表される色素が２個以上（同一であっても、異なっていてもよい）、Ｒ1〜Ｒ9のいずれかを介して結合を形成して、ビス体、トリス体、又は多量体を形成していてもよい。この際の金属イオンは前記一般式（Ｉ）で表される色素の置換基に含まれるアニオン部と塩を形成するカチオン性のものであれば限定はない。好ましい金属イオンとしてはＬｉ、Ｎａ、Ｋ、Ｒｂ、Ｃｓ、Ａｇ，Ｍｇ，Ｃａ，Ｓｒ，Ｂａ、Ｚｎ、Ａｌ、Ｎｉ、Ｃｕ、Ｃｏ、Ｆｅが挙げられる。含窒素化合物は、特開２００５−９９６５８号のページ１２〜ページ２０に記載の化合物等が挙げられる。
【００２６】
前記一般式（Ｉ）で表される色素と含窒素化合物からなるカチオンとの塩における含窒素化合物／酸性染料のモル比（以下ｎという。）について説明する。ｎは前記一般式（Ｉ）で表される色素分子と対イオンである含窒素化合物とのモル比率を決定する値であり、前記一般式（Ｉ）で表される色素−アミン化合物の塩形成条件によって自由に選択することができる。具体的には、前記一般式（Ｉ）で表される色素中の酸の官能基数の０＜ｎ≦５の間の数値が実用上多く用いられ、有機溶剤や現像液に対する溶解性、塩形成性、吸光度、硬化性組成物中の他の成分との相互作用、耐光性、耐熱性等、必要とする性能の全てを考慮して選択される。吸光度のみの観点で選択すると、上記ｎは０＜ｎ≦４．５の間の数値をとることが好ましく、０＜ｎ≦４の間の数値をとることがさらに好ましく、０＜ｎ≦３．５の間の数値をとることが特に好ましい。
【００２７】
次に、本発明における一般式（Ｉ）で表されるピリミジンアゾ化合物の具体例（例示化合物（１）〜（７４））を以下に示すが、本発明はこれらによって限定されるわけではない。
【００２８】
【化３】
2007039478.tif 000004
【００２９】
【化４】
2007039478.tif 000005
【００３０】
【化５】
2007039478.tif 000006
【００３１】
【化６】
2007039478.tif 000007
【００３２】
【化７】
2007039478.tif 000008
【００３３】
【化８】
2007039478.tif 000009
【００３４】
【化９】
2007039478.tif 000010
【００３５】
【化１０】
2007039478.tif 000011
【００３６】
【化１１】
2007039478.tif 000012
【００３７】
【化１２】
2007039478.tif 000013
【００３８】
【化１３】
2007039478.tif 000014
【００３９】
【化１４】
2007039478.tif 000015
【００４０】
【化１５】
2007039478.tif 000016
【００４１】
【化１６】
2007039478.tif 000017
【００４２】
【化１７】
2007039478.tif 000018
【００４３】
【化１８】
2007039478.tif 000019
【００４４】
【化１９】
2007039478.tif 000020
【００４５】
【化２０】
2007039478.tif 000021
【００４６】
【化２１】
2007039478.tif 000022
【００４７】
【化２２】
2007039478.tif 000023
【００４８】
【化２３】
2007039478.tif 000024
【実施例】
【００４９】
以下に本発明を実施例に基づき具体的に説明するが、本発明はこれらの実施例に限定されるものではない。
（実施例１）
［合成例］：例示化合物（１）の合成
前記例示化合物（１）の具体的な合成方法〔Ｓｔｅｐ（１）〜（４）〕をその反応スキーム（下記反応スキームＡ）とともに示す。なお、出発物質を代えることで同様にして他の化合物を合成することができるが、本発明のピリミジンアゾ化合物の合成法はこれに限定されるものではない。
【００５０】
【化２４】
2007039478.tif 000025
【００５１】
（１）化合物（Ｂ）の合成
２−アミノ−１−メトキシプロパン６１．０ｇ（０．６８４モル）に化合物（Ａ）５０．０ｇ（０．２７３モル）を滴下した後、７５℃に加熱、攪拌した。この溶液にトリエチルアミン７６ｍｌ（０．５４５モル）を滴下した。滴下終了後、１０５℃〜１１５℃で７．５時間加熱、攪拌した。反応終了後、反応液を室温に冷却してから水３００ｍｌと酢酸エチル３００ｍｌを添加して抽出した。この酢酸エチル溶液を水洗して、無水硫酸マグネシウムで乾燥した。この酢酸エチル溶液を減圧下で濃縮した後、シリカゲルカラムクロマトグラフィー（溶離液：ｎ−ヘキサン／酢酸エチル＝１０／１）で精製した。化合物（Ｂ）７０．０ｇ（収率：８８．８％）を得た。化合物（Ａ）は、シグマ−アルドリッチ社製を用いた。
【００５２】
（２）化合物（Ｃ）の合成
前記の方法で得た化合物（Ｂ）７０．０ｇ（０．２４２モル）にメトキシプロピルアミン５３．９ｇ（０．６０５モル）を加え、外温１６０℃〜１７０℃で２９時間加熱、攪拌した。反応終了後、反応液を室温に冷却してから水４００ｍｌと酢酸エチル４００ｍｌを添加して抽出した。この酢酸エチル溶液を水洗して、無水硫酸マグネシウムで乾燥した。この酢酸エチル溶液を減圧下で濃縮した後、シリカゲルカラムクロマトグラフィー（溶離液：ｎ−ヘキサン／酢酸エチル＝３／１）で精製した。化合物（Ｃ）５１．８ｇ（収率：６２．８％）を得た。
【００５３】
（３）化合物（Ｅ）の合成
化合物（Ｄ）５．００ｇ（０．０４６モル）を燐酸５６．０ｍｌに溶かした溶液を０℃で攪拌下に、亜硝酸ナトリウム３．５１ｇ（０．０５１モル）を添加し、１時間間攪拌した。反応液に化合物（Ｃ）１５．３ｇ（０．０４５モル）の酢酸５．０ｍｌ溶液を添加し、２５℃で３時間攪拌した。反応液に酢酸エチル５００ｍｌ、水５００ｍｌを加えた後、炭酸水素ナトリウムにて中和した。有機層を水で充分洗浄して溶媒を留去した。残渣に酢酸エチル２００ｍｌを加えて溶解させた後、ｎ−ヘキサン６００ｍｌを加えて析出した粘ちょう個体を除いた後、ろ液に更にｎ−ヘキサン６００ｍｌを加えて析出した黄色個体をろ別した。得られた結晶を乾燥し、化合物（Ｅ）を１９．０ｇ得た。収率８９．１％
【００５４】
（４）例示化合物（１）の合成
化合物（Ｅ）３．８ｇ（０．００８３モル）にジメチルアセトアミド２０ｍｌ、炭酸水素ナトリウム２．１８ｇ（０．０２５９モル）、２−クロロベンゾチアゾール２．１０ｇ（０．０１２４モル）、蒸留水２．０ｍｌを加え、９０℃〜９５℃で１５時間攪拌した。反応終了後、反応液を室温に冷却してから水４００ｍｌと酢酸エチル４００ｍｌを添加して抽出した。この酢酸エチル溶液を飽和食塩水３００ｍｌで２回洗浄した後、水洗して、無水硫酸マグネシウムで乾燥した。この酢酸エチル溶液を減圧下で濃縮した後、シリカゲルカラムクロマトグラフィー（溶離液：ｎ−ヘキサン／酢酸エチル＝３／１）で精製した。酢酸エチル１００ｍｌに溶解させた後、ｎ−ヘキサン４００ｍｌを加えた。析出した固体をろ取し、ｎ−ヘキサン１００ｍｌで洗浄し、乾燥し、目的物質である黄色結晶の本発明の例示化合物（１）を４．２ｇ得た（収率８５．７％）。
【００５５】
得られた例示化合物（１）の融点の測定、および酢酸エチル中における極大吸収波長（λｍａｘ）およびモル吸光係数（ε）の分光光度計ＵＶ−３１００ＰＣ（島津製作所社製）による測定を行ったところ、融点１３２℃〜１３３℃、極大吸収波長λｍａｘ＝４３７．１ｎｍ、ε＝４６２５０であった。
【００５６】
上記より得られた例示化合物（１）について、ＮＭＲによる構造確認を行なったところ、１Ｈ−ＮＭＲ（３００ＭＨｚ、溶媒：ジメチル−ｄ６スルホキシド、標準物質：テトラメチルシラン）δ［１０．６５ｐｐｍ（ｔ）、１０．５３ｐｐｍ（ｔ）、１０．４８ｐｐｍ（ｄ）、１０．４０ｐｐｍ（ｔ）］（ｔｏｔａｌ  １Ｈ）、［９．４９８（ｓ）、９．５０１（ｓ）］（ｔｏｔａｌ  １Ｈ）、８．１５（１Ｈ、ｄ）、７．９５（１Ｈ、ｄ）、７．５５−７．６４（１Ｈ，ｍ）、７．５７（１Ｈ，ｔ）、７．４７（１Ｈ，ｔ）、［６．９４（ｔ）、６．７８−６．８０（ｍ）、６．６９（ｄ）］（ｔｏｔａｌ  １Ｈ）、４．３７−４．５３（１Ｈ，ｍ）、４．２５−４．３７（１Ｈ，ｍ）、３．２３−３．７０（１７Ｈ，ｍ）、１．７８−１．８９（２Ｈ、ｍ）、１．２２−１．３２（６Ｈ，ｍ）であった。
【００５７】
〔実施例２〕
［合成例］：例示化合物（２）の合成
例示化合物（１）１０．０ｇ（０．０１６８モル）にＮ−メチル−２−ピロリドン５０ｍｌ、ヨウ化メチル９．５６ｇ（０．０６７４モル）、水酸化リチウム一水和物１．５ｇ（０．０３５３モル）、テトラブチルアンモニウムブロミド２．７ｇ（０．００８４モル）を加えて室温で２０時間攪拌した。反応混合物に水４００ｍｌと酢酸エチル４００ｍｌを添加して抽出した。この酢酸エチル溶液を飽和食塩水３００ｍｌで２回洗浄した後、水洗して、無水硫酸マグネシウムで乾燥した。この酢酸エチル溶液を減圧下で濃縮した後、シリカゲルカラムクロマトグラフィー（溶離液：ｎ−ヘキサン／酢酸エチル＝３／１）で精製した。酢酸エチル１００ｍｌに溶解させた後、ｎ−ヘキサン４００ｍｌを加えた。析出した固体をろ取し、ｎ−ヘキサン１００ｍｌで洗浄し、乾燥し、黄色結晶の本発明の例示化合物（２）を１０．０ｇ得た（収率９７．８％）。
得られた例示化合物（２）の酢酸エチル中における極大吸収波長（λｍａｘ）およびモル吸光係数（ε）の分光光度計ＵＶ−３１００ＰＣ（島津製作所社製）による測定を行ったところ、極大吸収波長λｍａｘ＝４４０．５ｎｍ、ε＝５０６２０であった。
【００５８】
上記より得られた例示化合物（２）について、ＮＭＲによる構造確認を行なったところ、１Ｈ−ＮＭＲ（３００ＭＨｚ、溶媒：ジメチル−ｄ６スルホキシド、標準物質：テトラメチルシラン）δ［１０．２２−１０．２８ｐｐｍ（ｍ）、１０．１７ｐｐｍ（ｔ）、１０．１３ｐｐｍ（ｔ）］（ｔｏｔａｌ  １Ｈ）、［９．２４８（ｓ）、９．２３（ｓ）］（ｔｏｔａｌ  １Ｈ）、７．９１（１Ｈ、ｄ）、７．７０（１Ｈ、ｄ）、７．３２（１Ｈ，ｔ）、７．２５（１Ｈ，ｔ）、［６．６２（ｔ）、６．５０（ｔ）］（ｔｏｔａｌ  １Ｈ）、４．９０−５．０３（１Ｈ，ｍ）、４．１０−４．２８（１Ｈ，ｍ）、２．９８−３．４５（１７Ｈ，ｍ）、２．７８−２．８４（３Ｈ、ｍ）、１．５４−１．６６（２Ｈ、ｍ）、０．８７−１．１０（６Ｈ，ｍ）であった。
【００５９】
〔実施例３〕
［合成例］：例示化合物（２２）の合成
反応スキームＡの化合物（Ｅ）に２−クロロピリミジンを作用させ、前記例示化合物（１）の合成と同様な方法で例示化合物（２２）を合成した。
この色素のλｍａｘは  ４３０．１ｎｍで、εは３６０３０であった。
【００６０】
上記より得られた例示化合物（２２）について、ＮＭＲによる構造確認を行なったところ、１Ｈ−ＮＭＲ（３００ＭＨｚ、溶媒：ジメチル−ｄ６スルホキシド、標準物質：テトラメチルシラン）δ［１０．５１ｐｐｍ（ｔ）、１０．４３ｐｐｍ（ｄ）、１０．３７ｐｐｍ（ｔ）、１０．２９ｐｐｍ（ｄ）］（ｔｏｔａｌ  １Ｈ）、［９．４５（ｓ）、９．４４（ｓ）］（ｔｏｔａｌ  １Ｈ）、［８．９５（ｄ）、８．９４（ｄ）］（ｔｏｔａｌ  １Ｈ）、７．４８−７．５８ｐｐｍ（１Ｈ、ｍ）  ［６．９７（ｔ）、６．８３（ｔ）、６．７８（ｄ）、６．６９（ｄ）］（ｔｏｔａｌ  １Ｈ）、４．４０−４．６０（１Ｈ，ｍ）、４．２５−４．４０（１Ｈ，ｍ）、３．２３−３．６６（１７Ｈ，ｍ）、１．７８−１．９１（２Ｈ、ｍ）、１．１２−１．３０（６Ｈ，ｍ）であった。
【００６１】
〔実施例４〕
［合成例］：例示化合物（３１）の合成
反応スキームＡの化合物（Ｅ）に３−メチル−５−（フェニルスルホニル）−１，２，４−チアジアゾールを作用させ、前記例示化合物（１）の合成と同様な方法で例示化合物（３１）を合成した。
この色素のλｍａｘは  ４３５．０ｎｍで、εは４２０１０であった。
【００６２】
上記より得られた例示化合物（３１）について、ＮＭＲによる構造確認を行なったところ、１Ｈ−ＮＭＲ（３００ＭＨｚ、溶媒：ジメチル−ｄ６スルホキシド、標準物質：テトラメチルシラン）δ［１０．６２ｐｐｍ（ｔ）、１０．５２ｐｐｍ（ｔ）、１０．４４ｐｐｍ（ｄ）、１０．３８ｐｐｍ（ｔ）］（ｔｏｔａｌ  １Ｈ）、［９．３８（ｓ）、９．３８（ｓ）、９．３７（ｓ）］（ｔｏｔａｌ  １Ｈ）、７．６２−７．７０１（１Ｈ，ｍ）、［６．９４（ｔ）、６．７８−６．８０（ｍ）、６．６９（ｄ）］（ｔｏｔａｌ  １Ｈ）、４．３７−４．５０（１Ｈ，ｍ）、４．２５−４．３７（１Ｈ，ｍ）、３．２０−３．７０（１７Ｈ，ｍ）、２．５７（３Ｈ，ｓ）、１．７８−１．８８（２Ｈ、ｍ）、１．１４−１．３０（６Ｈ，ｍ）であった。
【００６３】
〔実施例５〕
［合成例］：例示化合物（３２）の合成
反応スキームＡの化合物（Ｅ）に２−メチルピラジンを作用させ、前記例示化合物（１）の合成と同様な方法で例示化合物（３２）を合成した。
この色素のλｍａｘは  ４３２．９ｎｍで、εは３９１２０であった。
【００６４】
上記より得られた例示化合物（３２）について、ＮＭＲによる構造確認を行なったところ、１Ｈ−ＮＭＲ（３００ＭＨｚ、溶媒：ジメチル−ｄ６スルホキシド、標準物質：テトラメチルシラン）δ［１０．５７ｐｐｍ（ｔ）、１０．５０ｐｐｍ（ｔ）、１０．４０ｐｐｍ（ｄ）、１０．３７ｐｐｍ（ｔ）］（ｔｏｔａｌ  １Ｈ）、９．４３（１Ｈ、ｓ）、９．２２（１Ｈ、ｍ）、８．７３（１Ｈ、ｄ）、８．６２（１Ｈ、ｓ）、７．５１−７．５９（１Ｈ、ｍ）、［６．９６（ｔ）、６．７８−６．８３（１Ｈ、ｍ）、６．７０（ｄ）］（ｔｏｔａｌ  １Ｈ）、４．４０−４．５５（１Ｈ，ｍ）、４．２５−４．４０（１Ｈ，ｍ）、３．２３−３．６８（１７Ｈ，ｍ）、１．７８−１．９０（２Ｈ、ｍ）、１．１２−１．３２（６Ｈ，ｍ）であった。
【産業上の利用可能性】
【００６５】
一般式（Ｉ）で表わされるピリミジンアゾ化合物およびこの互変異性体はアゾ色素として有用である。このアゾ色素の用途としては、ＣＣＤ、ＣＭＯＳなどの固体撮像素子や、ＬＣＤ、ＰＤＰ等ディスプレイに用いられるカラー画像を記録、再現するためのカラーフィルタ、あるいはこれらのカラーフィルタを作製するための硬化性組成物、カラー画像を形成するためのカラー画像記録材料、染色等が挙げられる。具体的には、カラーフィルタおよびこれらのカラーフィルタを作製するための硬化組成物、インクジェット方式記録材料、感熱記録材料、感圧記録材料、電子写真方式を用いる記録材料、転写式ハロゲン化銀感光材料、印刷インク、記録ペン、繊維の染色、毛髪の染色等があり、好ましくはカラーフィルタ作製用硬化組成物、インクジェット方式記録材料、感熱記録材料、電子写真方式を用いる記録材料等への使用が挙げられる。
本発明に係る新規化合物であるピリミジンアゾ化合物およびこの互変異性体は、その用途に適した溶解性、分散性などの物性を、該化合物に導入する置換基を調整することによって最適化して使用することができる。また本発明の色素は、用いられる系に応じて溶解状態、乳化分散状態、固体分散状態でも使用することができる。